(57)【要約】      （修正有）【課題】画像中のある位置にターゲット（観察対象）が存在する可能性が高いか低いかを判別しやすくすることのできる画像生成装置を提供する。【解決手段】画像生成装置は、複数の受信信号に基づいて、複数回の光照射に対応する複数の画像データを生成する画像データ生成手段Ｓ９２０と、ある位置における複数の画像データの画像値群の特徴を表す特徴情報を取得する特徴情報取得手段と、特徴情報に基づいて、ある位置にターゲットが存在する可能性を表す判定情報を取得する判定情報取得手段Ｓ９３０と、を有する。【選択図】図９
2019017552.tif 000002
【特許請求の範囲】
【請求項１】
被検体への光照射により前記被検体から発生する光音響波を受信することにより得られる受信信号に基づいて、画像データを生成する画像生成装置であって、
前記被検体への光照射を複数回行うことにより得られる複数の前記受信信号に基づいて、前記複数回の光照射に対応する複数の画像データを生成する画像データ生成手段と、
ある位置における前記複数の画像データの画像値群の特徴を表す特徴情報を取得する特徴情報取得手段と、
前記特徴情報に基づいて、前記ある位置にターゲットが存在する可能性を表す判定情報を取得する判定情報取得手段と、
を有することを特徴とする画像生成装置。
【請求項２】
表示制御手段を有し、
前記画像データ生成手段は、前記複数の受信信号に基づいた合成画像データを生成し、
前記表示制御手段は、
前記判定情報に基づいて、前記ある位置に前記ターゲットが存在する場合に、前記ある位置における前記合成画像データの画像値に対応する輝度で、前記ある位置における前記合成画像データに基づいた画像を表示手段に表示させ、
前記判定情報に基づいて、前記ある位置に前記ターゲットが存在しない場合に、前記輝度よりも低い輝度で、前記ある位置における前記合成画像データに基づいた画像を前記表示手段に表示させる
ことを特徴とする請求項１に記載の画像生成装置。
【請求項３】
前記判定情報に基づいて、前記ある位置にターゲットが存在する可能性を判別できる前記画像データに基づいた画像を、表示手段に表示させる表示制御手段を有する
ことを特徴とする請求項１に記載の画像生成装置。
【請求項４】
被検体への複数回の光照射により前記被検体から発生する光音響波を受信することにより得られた前記複数回の光照射に対応する複数の受信信号に基づいて、画像データを生成する画像生成装置であって、
前記複数の受信信号に基づいて、前記複数回の光照射に対応する複数の画像データを生成する画像データ生成手段と、
ある位置における前記複数の画像データの画像値群の特徴を表す特徴情報を取得する特徴情報取得手段と、
表示制御手段と、
を有し、
前記画像データ生成手段は、前記複数の受信信号に基づいた合成画像データを生成し、
前記表示制御手段は、前記合成画像データに基づいた第１の画像と、前記特徴情報に基づいた第２の画像とを含む画像を表示手段に表示させる
ことを特徴とする画像生成装置。
【請求項５】
前記画像データ生成手段は、前記複数の画像データを合成することにより、前記合成画像データを生成する
ことを特徴とする請求項２から４のいずれか１項に記載の画像生成装置。
【請求項６】
前記複数の受信信号のそれぞれに対して時間微分処理を含む信号処理を行う信号処理手段を有し、
前記画像データ生成手段は、前記信号処理が行われた前記複数の受信信号に基づいて、前記複数の画像データを生成する
ことを特徴とする請求項１から５のいずれか１項に記載の画像生成装置。
【請求項７】
前記信号処理手段は、前記複数の受信信号のそれぞれに対して前記時間微分処理及び信号レベルの正負を反転させる反転処理を含む前記信号処理を行う
ことを特徴とする請求項６に記載の画像生成装置。
【請求項８】
前記特徴情報取得手段は、互いに種類の異なる複数の前記特徴情報を取得し、
前記判定情報取得手段は、複数の前記特徴情報に基づいて、前記ある位置にターゲットが存在する可能性を表す前記判定情報を取得する
ことを特徴とする請求項１から７のいずれか１項に記載の画像生成装置。
【請求項９】
複数の前記特徴情報は、前記画像値群のヒストグラムの尖度と、前記画像値群のエントロピーとを含み、
前記判定情報取得手段は、
前記尖度が第１の閾値よりも高いときに、前記ある位置にターゲットが存在すると判定し、
前記尖度が前記第１の閾値よりも低く、前記エントロピーが第２の閾値よりも低いときに、前記ある位置にターゲットが存在すると判定し、
前記尖度が前記第１の閾値よりも低く、前記エントロピーが前記第２の閾値よりも高いときに、前記ある位置にターゲットが存在しないと判定して、前記判定情報を取得する
ことを特徴とする請求項８に記載の画像生成装置。
【請求項１０】
前記特徴情報は、前記画像値群のヒストグラムの形状を表す情報を含む
ことを特徴とする請求項１から９のいずれか１項に記載の画像生成装置。
【請求項１１】
前記特徴情報は、前記画像値群の統計値を含む
ことを特徴とする請求項１から９のいずれか１項に記載の画像生成装置。
【請求項１２】
前記特徴情報は、前記画像値群の平均値、標準偏差値、分散値、エントロピー、ネゲントロピー、歪度、及び尖度の少なくとも一つを含む
ことを特徴とする請求項１から９のいずれか１項に記載の画像生成装置。
【請求項１３】
被検体への複数回の光照射により前記被検体から発生する光音響波を受信することにより得られた前記複数回の光照射に対応する複数の受信信号に基づいて、画像データを生成する画像生成方法であって、
前記複数の受信信号に基づいて、複数の画像データを生成し、
ある位置における前記複数の画像データの画像値群の特徴を表す特徴情報を取得し、
前記特徴情報に基づいて、前記ある位置にターゲットが存在する可能性を表す判定情報を取得する
ことを特徴とする画像生成方法。
【請求項１４】
前記複数の受信信号に基づいた合成画像データを生成し、
前記判定情報に基づいて、前記ある位置に前記ターゲットが存在する場合に、前記ある位置における前記合成画像データの画像値に対応する輝度で、前記ある位置における前記合成画像データに基づいた画像を表示手段に表示させ、
前記判定情報に基づいて、前記ある位置に前記ターゲットが存在しない場合に、前記輝度よりも低い輝度で、前記ある位置における前記合成画像データに基づいた画像を前記表示手段に表示させる
ことを特徴とする請求項１３に記載の画像生成方法。
【請求項１５】
前記判定情報に基づいて、前記ある位置にターゲットが存在する可能性を判別できる前記画像データに基づいた前記画像を、表示手段に表示させる表示制御手段を有する
ことを特徴とする請求項１３に記載の画像生成方法。
【請求項１６】
被検体への複数回の光照射により前記被検体から発生する光音響波を受信することにより得られた前記複数回の光照射に対応する複数の受信信号に基づいて、画像データを生成する画像生成方法であって、
前記複数の受信信号に基づいて、前記複数回の光照射に対応する複数の画像データを生成し、
ある位置における前記複数の画像データの画像値群の特徴を表す特徴情報を取得し、
前記複数の受信信号に基づいた合成画像データを生成し、
前記合成画像データに基づいた第１の画像と、前記特徴情報に基づいた第２の画像とを含む画像を表示手段に表示させる
ことを特徴とする画像生成方法。
【請求項１７】
互いに種類の異なる複数の前記特徴情報を取得し、
複数の前記特徴情報に基づいて、前記ある位置にターゲットが存在する可能性を表す前記判定情報を取得する
ことを特徴とする請求項１３から１６のいずれか１項に記載の画像生成方法。
【請求項１８】
複数の前記特徴情報は、前記画像値群のヒストグラムの尖度と、前記画像値群のエントロピーとを含み、
前記尖度が第１の閾値よりも高いときに、前記ある位置にターゲットが存在すると判定し、
前記尖度が前記第１の閾値よりも低く、前記エントロピーが第２の閾値よりも低いときに、前記ある位置にターゲットが存在すると判定し、
前記尖度が前記第１の閾値よりも低く、前記エントロピーが前記第２の閾値よりも高いときに、前記ある位置にターゲットが存在しないと判定して、前記判定情報を取得する
ことを特徴とする請求項１７に記載の画像生成方法。
【請求項１９】
請求項１３から１８のいずれか１項に記載の画像生成方法をコンピュータに実行させるためのプログラム。
【発明の詳細な説明】
【技術分野】
【０００１】
本発明は、光照射により発生する光音響波に由来する画像データを生成する画像生成装置に関する。
【背景技術】
【０００２】
音響波を受信することにより得られた受信信号に基づいて画像データを生成する装置として、光音響装置が知られている。光音響装置は、光源から発生したパルス光を被検体に照射し、被検体内で伝搬・拡散したパルス光のエネルギーを吸収した被検体組織から発生した音響波（典型的には超音波であり、光音響波とも呼ぶ）を受信する。そして、光音響装置は、受信信号に基づき被検体情報を画像化する。
【０００３】
非特許文献１は、光音響波の受信信号から初期音圧分布を画像化する方法として、逆投影法の一つであるユニバーサルバックプロジェクション（ＵＢＰ：Ｕｎｉｖｅｒｓａｌ  Ｂａｃｋ−Ｐｒｏｊｅｃｔｉｏｎ）を開示する。
【先行技術文献】
【非特許文献】
【０００４】
【非特許文献１】”Ｕｎｉｖｅｒｓａｌ  ｂａｃｋ−ｐｒｏｊｅｃｔｉｏｎ  ａｌｇｏｒｉｔｈｍ  ｆｏｒ  ｐｈｏｔｏａｃｏｕ“ｓｔｉｃ  ｃｏｍｐｕｔｅｄ  ｔｏｍｏｇｒａｐｈｙ”，Ｍｉｎｇｈｕａ  Ｘｕ  ａｎｄ  Ｌｉｈｏｎｇ  Ｖ．Ｗａｎｇ，ＰＨＹＳＩＣＡＬ  ＲＥＶＩＥＷ  Ｅ  ７１，０１６７０６（２００５）
【発明の概要】
【発明が解決しようとする課題】
【０００５】
ところで、音響波の受信信号を逆投影して画像データを生成する場合、音響波の発生位置以外にも受信信号が逆投影され、アーティファクトとして画像に現れる。これにより、画像中の像がターゲット（観察対象）の像であるのか否かを判別することが困難な場合がある。
【０００６】
そこで、本発明は、画像中のある位置にターゲット（観察対象）が存在する可能性が高いか低いかを判別しやすくすることのできる画像生成装置を提供することを目的とする。
【課題を解決するための手段】
【０００７】
本発明に係る画像生成装置は、被検体への光照射により被検体から発生する光音響波を受信することにより得られる受信信号に基づいて、画像データを生成する画像生成装置であって、被検体への光照射を複数回行うことにより得られる複数の受信信号に基づいて、複数回の光照射に対応する複数の画像データを生成する画像データ生成手段と、ある位置における複数の画像データの画像値群の特徴を表す特徴情報を取得する特徴情報取得手段と、特徴情報に基づいて、ある位置にターゲットが存在する可能性を表す判定情報を取得する判定情報取得手段と、を有する。
【発明の効果】
【０００８】
本発明に係る画像生成装置によれば、画像中のある位置にターゲット（観察対象）が存在する可能性が高いか低いかを判別しやすくすることができる。
【図面の簡単な説明】
【０００９】
【図１】ＵＢＰによる時間微分処理及び正負反転処理を説明するための図
【図２】ＵＢＰによる逆投影処理を説明するための図
【図３】ＵＢＰによって得られた画像値の変動を示す図
【図４】比較例及び本発明に係る処理で得られた画像を示す図
【図５】実施形態に係る光音響装置を示すブロック図
【図６】実施形態に係るプローブを示す模式図
【図７】実施形態に係るコンピュータとその周辺の構成を示すブロック図
【図８】実施形態に係る画像生成方法のフロー図
【図９】実施形態に係る画像データを生成する工程のフロー図
【図１０】実施形態に係る画像値群のヒストグラムを示す図
【図１１】実施形態に係る光音響装置により得られた特徴情報画像を示す図
【発明を実施するための形態】
【００１０】
以下に図面を参照しつつ、本発明の実施形態について説明する。ただし、以下に記載されている構成部品の寸法、材質、形状及びそれらの相対配置などは、発明が適用される装置の構成や各種条件により適宜変更されるべきものであり、この発明の範囲を以下の記載に限定する趣旨のものではない。
【００１１】
本発明は、光照射により発生した光音響波に由来する、２次元または３次元の空間分布を表す画像データの生成に関する発明である。光音響画像データは、光音響波の発生音圧（初期音圧）、光吸収エネルギー密度、及び光吸収係数、被検体を構成する物質の濃度（酸素飽和度など）などの少なくとも１つの被検体情報の空間分布を表す画像データである。
【００１２】
ところで、光音響イメージングの主な被検体である生体は、光を散乱及び吸収する特性を備える。そのため、光が生体の深部に進むにつれて、光強度が指数的に減衰する。その結果、典型的に、被検体表面付近では振幅の大きい光音響波が生じ、被検体深部では振幅の小さい光音響波が生じる傾向がある。特に被検体の表面付近に存在する血管から振幅の大きい光音響波が生じやすい。
【００１３】
非特許文献１に記載のＵＢＰ（Ｕｎｉｖｅｒｓａｌ  Ｂａｃｋ−Ｐｒｏｊｅｃｔｉｏｎ）と呼ばれる再構成法では、トランスデューサを中心とする円弧上に受信信号を逆投影する。その際、被検体の表面付近の振幅が大きい光音響波の受信信号が被検体深部に逆投影され、その結果被検体深部でのアーティファクトとなる。このため、被検体深部に存在する生体組織を画像化する際に、被検体表面から発生した光音響波に起因するアーティファクトにより画質（コントラスト等）が低下するおそれがある。これにより、画像中の像がターゲット（観察対象）の像であるのか否かを判別することが困難な場合がある。
【００１４】
本発明は、画像中のある位置にターゲット（観察対象）が存在するか否かを判別しやすくすることのできる発明である。すなわち、本発明は、画像中のある位置にターゲットが存在する可能性が高いか低いかを判別しやすくすることのできる発明である。本明細書において、ターゲットが存在するか否かを判定することは、ターゲットが存在する可能性が高いか低いかを判定することに相当する。以下、本発明に係る処理について説明する。
【００１５】
光音響波の受信信号は、一般的に図１（ａ）に示すようなＮ−Ｓｈａｐｅとよばれる波形を持つことが知られている。ＵＢＰでは図１（ａ）に示すＮ−Ｓｈａｐｅ信号に対して時間微分処理を行い、図１（ｂ）に示す時間微分信号を生成する。続いて、時間微分信号の信号レベルの正負を反転する正負反転処理を行い、図１（ｃ）に示す正負反転信号を生成する。なお、Ｎ−Ｓｈａｐｅ信号に時間微分処理及び正負反転処理を施して生成された信号（投影信号とも呼ぶ）には、図１（ｃ）の矢印Ａ，Ｃで示すような負の値を持つ部分と、図１（ｃ）の矢印Ｂに示すような正の値を持つ部分が現れる。
【００１６】
図２は、被検体内部の微小球形状の光吸収体であるターゲット１０から発生した光音響波をトランスデューサ２１及びトランスデューサ２２で受信する場合にＵＢＰを適用する例を示す。ターゲット１０に光を照射すると、光音響波が発生し、光音響波はトランスデューサ２１及びトランスデューサ２２にてＮ−Ｓｈａｐｅ信号としてサンプリングされる。図２（ａ）は、トランスデューサ２１によりサンプリングされたＮ−Ｓｈａｐｅ状の受信信号をターゲット１０に重畳して示した図である。なお、便宜上、トランスデューサ２１から出力された受信信号のみを示すが、トランスデューサ２２からも同様に受信信号が出力される。
【００１７】
図２（ｂ）は、図２（ａ）に示すＮ−Ｓｈａｐｅ状の受信信号に時間微分処理及び正負反転処理を施した投影信号をターゲット１０に重畳して示した図である。
【００１８】
図２（ｃ）は、トランスデューサ２１を用いて得られた投影信号をＵＢＰで逆投影する様子を示す。ＵＢＰではトランスデューサ２１を中心とした円弧上に投影信号を投影する。この場合、トランスデューサ２１の指向角（例えば６０°）の範囲に投影信号を逆投影している。その結果、あたかも領域３１、３２、及び３３にわたってターゲット１０が存在するかのような画像となる。ここで、領域３１及び３３は負の値を持つ領域であり、領域３２は正の値を持つ領域である。図２（ｃ）において、負の値を持つ領域３１及び３３を灰色で塗りつぶした。
【００１９】
図２（ｄ）は、トランスデューサ２２を用いて得られた投影信号をＵＢＰで逆投影する場合を示す。その結果、あたかも領域４１、４２、及び４３にわたってターゲット１０が存在するかのような画像となる。ここで、領域４１、４３は負の値を持つ領域であり、領域４２は正の値を持つ領域である。図２（ｄ）において、負の値を持つ領域４１及び４３を灰色で塗りつぶした。
【００２０】
図２（ｅ）は、複数のトランスデューサ２１及び２２のそれぞれに対応する投影信号をＵＢＰで逆投影する場合の図を示す。このようにして逆投影された複数の投影信号を合成することにより、光音響画像データが生成される。
【００２１】
図２（ｅ）に示すように、ターゲット１０の内部の位置５１においては、トランスデューサ２１に対応する投影信号の正値の領域３２と、トランスデューサ２２に対応する投影信号の正値の領域４２が重なる。すなわち、典型的にターゲット１０の存在する領域（ターゲット領域とも呼ぶ）では、正値の領域同士が優位に重なる。そのため、ターゲット１０の存在する領域では、典型的に光照射毎の画像データが正値となる傾向がある。
【００２２】
一方、ターゲット１０の外部の位置５２においては、トランスデューサ２１に対応する投影信号の正値の領域３２と、トランスデューサ２２に対応する投影信号の負値の領域４３とが重なる。また、ターゲット１０の外部の位置５３においては、トランスデューサ２１に対応する投影信号の負値の領域３１と、トランスデューサ２２に対応する投影信号の正値の領域４１とが重なる。このようにターゲット１０以外の領域では、正値の領域と負値の領域とが複雑に重なる傾向がある。すなわち、ターゲット１０以外の領域では、光照射毎に画像データが正値にも負値にもなる傾向がある。このような傾向となる理由としては、トランスデューサ２２とターゲット１０との相対位置が光照射毎に変わることなどが考えられる。
【００２３】
次に、光照射の度に光音響波の受信位置の組み合わせを変えたときの、光照射毎の画像データの値（画像値）の変動について説明する。図３（ａ）は、ターゲット１０の領域を非特許文献１に記載のＵＢＰで再構成したときの画像データの値（画像値）の変動を示す。横軸は光照射の番号を示し、縦軸は画像値を示す。一方、図３（ｂ）は、ターゲット１０以外の領域を非特許文献１に記載のＵＢＰで再構成したときの画像データの値（画像値）の変動を示す。横軸は光照射の番号を示し、縦軸は画像値を示す。
【００２４】
図３（ａ）によれば、ターゲット１０の領域の画像値は、光照射毎に変動があるものの、常に正値となっていることが分かる。一方、図３（ｂ）によれば、ターゲット１０以外の領域の画像値は、光照射毎に正値にも負値にもなることが理解される。
【００２５】
ここで、全ての光照射に対応する画像データを合成することにより画像データを生成すると、ターゲット１０の領域では正値の合成となるので最終的な画像値が大きくなる。一方で、ターゲット１０以外の領域では、画像データの正値と負値とが相殺して、最終的な画像値がターゲット１０の領域よりも小さくなる。その結果、光音響画像データに基づいた画像上でターゲット１０の存在を視認することができる。
【００２６】
ところが、ターゲット１０以外の領域では、ターゲットが存在しないにもかかわらず画像値が０とはならず、最終的な画像値が正値となる場合がある。この場合、ターゲット１０以外の位置にアーティファクトが発生し、ターゲットの視認性を低下させることとなる。
【００２７】
そこで、ある領域における画像がターゲットの画像であるかターゲット以外の画像であるかを判別しやすくすることが望まれている。
【００２８】
そこで、本発明者は、上記課題を解決するために、ターゲットの領域とターゲット以外の領域では、典型的に光照射毎の画像データの画像値の変動特性が異なる傾向を持つことに着目した。すなわち、本発明者は、光照射毎の画像データの画像値の変動特性から、ターゲットの領域とターゲット以外の領域とを判定することを着想した。この方法により、ターゲットであるか否かを精度よく判別することができる。
【００２９】
また本発明者は、ターゲット領域であるか否かの判定結果を表す画像を表示させることを着想した。このような画像を表示させることにより、画像中のある位置にターゲットが存在するか否かを容易に判別することができる。
【００３０】
また本発明者は、上記の方法でターゲットの領域を決定し、画像データからターゲットの画像を選択的に抽出することを着想した。すなわち、本発明者は、ある位置にターゲットが存在しない場合に、当該位置の画像値に対応する輝度よりも低い輝度で、当該位置における画像データに基づいた画像を表示することを着想した。このような画像生成方法によれば、ターゲットが強調された画像をユーザーに提供することができる。このような画像を表示させることにより、ユーザーはある位置にターゲットが存在するのか否かを容易に判別することができる。
【００３１】
また本発明者は、複数回の光照射に対応する複数の画像データの特徴を表す特徴情報に基づいた画像を表示させることを着想した。このような特徴情報を表示することにより、ユーザーはある位置にターゲットが存在するのか否かを容易に判別することができる。
【００３２】
本発明に係る処理の詳細については以下の実施形態で後述する。以下の実施形態では、図４に示す被検体モデル１０００に対するシミュレーションにより光音響波の受信信号を生成し、当該受信信号を用いて画像データを生成する例を説明する。図４は、シミュレーションに用いる被検体モデル１０００を示す。被検体モデル１０００としては、表面付近に血管１０１０が存在し、表面から２０［ｍｍ］の深さの箇所にＹ軸方向に走行する０．２［ｍｍ］の血管１０１１が存在するモデルを作成した。この被検体モデル１０００においては血管をターゲットとしている。そして、複数回光照射したときに被検体モデル１０００内の血管１０１０及び１０１１から発生した光音響波を、被検体モデル１０００の紙面下側に設けられた受信部が受信するときの受信信号をシミュレーションにより作成した。なお、シミュレーションにて光照射毎に光音響波の受信位置を変更して受信信号を作成した。また、シミュレーションにより得られた受信信号を用いて後述するＵｎｉｖｅｒｓａｌ  ｂａｃｋ−ｐｒｏｊｅｃｔｉｏｎ（ＵＢＰ）で再構成処理を行い、複数回の光照射のそれぞれに対応する画像データを作成した。
【００３３】
本実施形態では、光音響装置により光音響画像データを生成する例を説明する。以下、本実施形態の光音響装置の構成及び情報処理方法について説明する。
【００３４】
図５を用いて本実施形態に係る光音響装置の構成を説明する。図５は、光音響装置全体の概略ブロック図である。本実施形態に係る光音響装置は、光照射部１１０及び受信部１２０を含むプローブ１８０、駆動部１３０、信号収集部１４０、コンピュータ１５０、表示部１６０、及び入力部１７０を有する。
【００３５】
図６は、本実施形態に係るプローブ１８０の模式図を示す。測定対象は、被検体１００である。駆動部１３０は、光照射部１１０と受信部１２０を駆動し、機械的な走査を行う。光照射部１１０が光を被検体１００に照射し、被検体１００内で音響波が発生する。光に起因して光音響効果により発生する音響波を光音響波とも呼ぶ。受信部１２０は、光音響波を受信することによりアナログ信号としての電気信号（光音響信号）を出力する。
【００３６】
信号収集部１４０は、受信部１２０から出力されたアナログ信号をデジタル信号に変換し、コンピュータ１５０に出力する。コンピュータ１５０は、信号収集部１４０から出力されたデジタル信号を、光音響波に由来する信号データとして記憶する。
【００３７】
コンピュータ１５０は、記憶されたデジタル信号に対して信号処理を行うことにより、被検体１００に関する情報（被検体情報）の２次元または３次元の空間分布を表す光音響画像データを生成する。また、コンピュータ１５０は、得られた画像データに基づいた画像を表示部１６０に表示させる。ユーザーとしての医師は、表示部１６０に表示された画像を確認することにより、診断を行うことができる。表示画像は、ユーザーやコンピュータ１５０からの保存指示に基づいて、コンピュータ１５０内のメモリや、モダリティとネットワークで接続されたデータ管理システムなどのメモリに保存される。
【００３８】
また、コンピュータ１５０は、光音響装置に含まれる構成の駆動制御も行う。また、表示部１６０は、コンピュータ１５０で生成された画像の他にＧＵＩなどを表示してもよい。入力部１７０は、ユーザーが情報を入力できるように構成されている。ユーザーは、入力部１７０を用いて測定開始や終了、作成画像の保存指示などの操作を行うことができる。
【００３９】
以下、本実施形態に係る光音響装置の各構成の詳細を説明する。
【００４０】
（光照射部１１０）
光照射部１１０は、光を発する光源１１１と、光源１１１から射出された光を被検体１００へ導く光学系１１２とを含む。なお、光は、いわゆる矩形波、三角波などのパルス光を含む。
【００４１】
光源１１１が発する光のパルス幅としては、１ｎｓ以上、１００ｎｓ以下のパルス幅であってもよい。また、光の波長として４００ｎｍから１６００ｎｍ程度の範囲の波長であってもよい。血管を高解像度でイメージングする場合は、血管での吸収が大きい波長（４００ｎｍ以上、７００ｎｍ以下）を用いてもよい。生体の深部をイメージングする場合には、生体の背景組織（水や脂肪など）において典型的に吸収が少ない波長（７００ｎｍ以上、１１００ｎｍ以下）の光を用いてもよい。
【００４２】
光源１１１としては、レーザーや発光ダイオードを用いることができる。また、複数波長の光を用いて測定する際には、波長の変更が可能な光源であってもよい。なお、複数波長を被検体に照射する場合、互いに異なる波長の光を発生する複数台の光源を用意し、それぞれの光源から交互に照射することも可能である。複数台の光源を用いた場合もそれらをまとめて光源として表現する。レーザーとしては、固体レーザー、ガスレーザー、色素レーザー、半導体レーザーなど様々なレーザーを使用することができる。例えば、Ｎｄ：ＹＡＧレーザーやアレキサンドライトレーザーなどのパルスレーザーを光源として用いてもよい。また、Ｎｄ：ＹＡＧレーザー光を励起光とするＴｉ：ｓａレーザーやＯＰＯ（Ｏｐｔｉｃａｌ  Ｐａｒａｍｅｔｒｉｃ  Ｏｓｃｉｌｌａｔｏｒｓ）レーザーを光源として用いてもよい。また、光源１１１としてフラッシュランプや発光ダイオードを用いてもよい。また、光源１１１としてマイクロウェーブ源を用いてもよい。
【００４３】
光学系１１２には、レンズ、ミラー、プリズム、光ファイバー、拡散板、シャッターなどの等の光学素子を用いることができる。
【００４４】
生体組織に照射することが許される光の強度は、以下に示す安全規格によって最大許容露光量（ＭＰＥ：ｍａｘｉｍｕｍ  ｐｅｒｍｉｓｓｉｂｌｅ  ｅｘｐｏｓｕｒｅ）が定められている。（ＩＥＣ  ６０８２５−１：Ｓａｆｅｔｙ  ｏｆ  ｌａｓｅｒ  ｐｒｏｄｕｃｔｓ、ＪＩＳ  Ｃ  ６８０２：レーザー製品の安全基準、ＦＤＡ：２１ＣＦＲ  Ｐａｒｔ  １０４０．１０、ＡＮＳＩ  Ｚ１３６．１：Ｌａｓｅｒ  Ｓａｆｅｔｙ  Ｓｔａｎｄａｒｄｓ、など）。最大許容露光量は、単位面積あたりに照射することができる光の強度を規定している。このため被検体Ｅの表面を広い面積で一括して光を照射することにより、多くの光を被検体Ｅに導くことができるので、光音響波を高いＳＮ比で受信することができる。乳房等の生体組織を被検体１００とする場合、高エネルギーの光のビーム径を広げて照射するために、光学系１１２の射出部は光を拡散させる拡散板等で構成されていてもよい。一方、光音響顕微鏡においては、解像度を上げるために、光学系１１２の光出射部はレンズ等で構成し、ビームをフォーカスして照射してもよい。
【００４５】
なお、光照射部１１０が光学系１１２を備えずに、光源１１１から直接被検体１００に光を照射してもよい。
【００４６】
（受信部１２０）
受信部１２０は、音響波を受信することにより電気信号を出力するトランスデューサ１２１と、トランスデューサ１２１を支持する支持体１２２とを含む。また、トランスデューサ１２１は、音響波を送信する送信手段としてもよい。受信手段としてのトランスデューサと送信手段としてのトランスデューサとは、単一（共通）のトランスデューサでもよいし、別々の構成であってもよい。
【００４７】
トランスデューサ１２１を構成する部材としては、ＰＺＴ（チタン酸ジルコン酸鉛）に代表される圧電セラミック材料や、ＰＶＤＦ（ポリフッ化ビニリデン）に代表される高分子圧電膜材料などを用いることができる。また、圧電素子以外の素子を用いてもよい。例えば、静電容量型トランスデューサ（ＣＭＵＴ：Ｃａｐａｃｉｔｉｖｅ  Ｍｉｃｒｏ−ｍａｃｈｉｎｅｄ  Ｕｌｔｒａｓｏｎｉｃ  Ｔｒａｎｓｄｕｃｅｒｓ）、ファブリペロー干渉計を用いたトランスデューサなどを用いることができる。なお、音響波を受信することにより電気信号を出力できる限り、いかなるトランスデューサを採用してもよい。また、トランスデューサにより得られる信号は時間分解信号である。つまり、トランスデューサにより得られる信号の振幅は、各時刻にトランスデューサで受信される音圧に基づく値（例えば、音圧に比例した値）を表したものである。
【００４８】
光音響波を構成する周波数成分は、典型的には１００ＫＨｚから１００ＭＨｚであり、トランスデューサ１２１として、これらの周波数を検出することのできるものを採用することができる。
【００４９】
支持体１２２は、機械的強度が高い金属材料などから構成されていてもよい。照射光を被検体に多く入射させるために、支持体１２２の被検体１００側の表面に鏡面もしくは光散乱させる加工が行われていてもよい。本実施形態において支持体１２２は半球殻形状であり、半球殻上に複数のトランスデューサ１２１を支持できるように構成されている。この場合、支持体１２２に配置されたトランスデューサ１２１の指向軸は半球の曲率中心付近に集まる。そして、複数のトランスデューサ１２１から出力された信号を用いて画像化したときに曲率中心付近の画質が高くなる。なお、支持体１２２はトランスデューサ１２１を支持できる限り、いかなる構成であってもよい。支持体１２２は、１Ｄアレイ、１．５Ｄアレイ、１．７５Ｄアレイ、２Ｄアレイと呼ばれるような平面又は曲面内に、複数のトランスデューサを並べて配置してもよい。複数のトランスデューサ１２１が複数の受信手段に相当する。
【００５０】
また、支持体１２２は音響マッチング材２１０を貯留する容器として機能してもよい。すなわち、支持体１２２をトランスデューサ１２１と被検体１００との間に音響マッチング材２１０を配置するための容器としてもよい。
【００５１】
また、受信部１２０が、トランスデューサ１２１から出力される時系列のアナログ信号を増幅する増幅器を備えてもよい。また、受信部１２０が、トランスデューサ１２１から出力される時系列のアナログ信号を時系列のデジタル信号に変換するＡ／Ｄ変換器を備えてもよい。すなわち、受信部１２０が後述する信号収集部１４０を備えてもよい。
【００５２】
なお、音響波を様々な角度で検出できるようにするために、理想的には被検体１００を全周囲から囲むようにトランスデューサ１２１を配置してもよい。ただし、被検体１００が大きく全周囲を囲むようにトランスデューサを配置できない場合は、半球状の支持体１２２上にトランスデューサを配置して全周囲を囲む状態に近づけてもよい。
【００５３】
なお、トランスデューサの配置や数及び支持体の形状は被検体に応じて最適化すればよく、本発明に関してはあらゆる受信部１２０を採用することができる。
【００５４】
受信部１２０と被検体１００との間の空間は、光音響波が伝播することができる媒質で満たす。この媒質には、音響波が伝搬でき、被検体１００やトランスデューサ１２１との界面において音響特性が整合し、できるだけ光音響波の透過率が高い材料を採用する。例えば、この媒質には、水、超音波ジェルなどを採用することができる。
【００５５】
図６（ａ）は、プローブ１８０の側面図を示し、図６（ｂ）は、プローブ１８０の上面図（図６（ａ）の紙面上方向から見た図）を示す。図６に示された本実施形態に係るプローブ１８０は、開口を有する半球状の支持体１２２に複数のトランスデューサ１２１が３次元に配置された受信部１２０を有する。また、図６に示されたプローブ１８０は、支持体１２２の底部に光学系１１２の光射出部が配置されている。
【００５６】
本実施形態においては、図６に示すように被検体１００は、保持部２００に接触することにより、その形状が保持される。本実施形態では、被検体１００が乳房の場合に、伏臥位の被検者を支持する寝台に乳房を挿入するための開口を設けて、開口から鉛直方向に垂らされた乳房を測定する形態を想定している。
【００５７】
受信部１２０と保持部２００の間の空間は、光音響波が伝播することができる媒質（音響マッチング材２１０）で満たされる。この媒質には、光音響波が伝搬でき、被検体１００やトランスデューサ１２１との界面において音響特性が整合し、できるだけ光音響波の透過率が高い材料を採用する。例えば、この媒質には、水、ひまし油、超音波ジェルなどを採用することができる。
【００５８】
保持手段としての保持部２００は被検体１００の形状を測定中に保持するために使用される。保持部２００により被検体１００を保持することによって、被検体１００の動きの抑制および被検体１００の位置を保持部２００内に留めることができる。保持部２００の材料には、ポリカーボネートやポリエチレン、ポリエチレンテレフタレート等、樹脂材料を用いることができる。
【００５９】
保持部２００は、被検体１００を保持できる硬度を有する材料であることが好ましい。保持部２００は、測定に用いる光を透過する材料であってもよい。保持部２００は、インピーダンスが被検体１００と同程度の材料で構成されていてもよい。乳房等の曲面を有するものを被検体１００とする場合、凹型に成型した保持部２００であってもよい。この場合、保持部２００の凹部分に被検体１００を挿入することができる。
【００６０】
保持部２００は、取り付け部２０１に取り付けられている。取り付け部２０１は、被検体の大きさに合わせて複数種類の保持部２００を交換可能に構成されていてもよい。例えば、取り付け部２０１は、曲率半径や曲率中心などの異なる保持部に交換できるように構成されていてもよい。
【００６１】
また、保持部２００には保持部２００の情報が登録されたタグ２０２が設置されていてもよい。例えば、タグ２０２には、保持部２００の曲率半径、曲率中心、音速、識別ＩＤ等の情報を登録することができる。タグ２０２に登録された情報は、読み取り部２０３により読み出され、コンピュータ１５０に転送される。保持部２００が取り付け部２０１に取り付けられたときに容易にタグ２０２を読み取るために、読み取り部２０３は取り付け部２０１に設置されていてもよい。例えば、タグ２０２はバーコードであり、読み取り部２０３はバーコードリーダである。
【００６２】
（駆動部１３０）
駆動部１３０は、被検体１００と受信部１２０との相対位置を変更する部分である。本実施形態では、駆動部１３０は、支持体１２２をＸＹ方向に移動させる装置であり、ステッピングモーターを搭載した電動のＸＹステージある。駆動部１３０は、駆動力を発生させるステッピングモーターなどのモーターと、駆動力を伝達させる駆動機構と、受信部１２０の位置情報を検出する位置センサとを含む。駆動機構としては、リードスクリュー機構、リンク機構、ギア機構、油圧機構、などを用いることができる。また、位置センサとしては、エンコーダー、可変抵抗器、リニアスケール、磁気センサ、赤外線センサ、超音波センサなどを用いたポテンショメータなどを用いることができる。
【００６３】
なお、駆動部１３０は被検体１００と受信部１２０との相対位置をＸＹ方向（二次元）に変更させるものに限らず、一次元または三次元に変更させてもよい。移動経路は平面的にスパイラル状やライン＆スペースで走査してもよいし、さらに三次元的に体表に沿うように傾けてもよい。また、被検体１００の表面からの距離を一定に保つようにしてプローブ１８０を移動させてもよい。このとき駆動部１３０は、モーターの回転数をモニターするなどしてプローブの移動量を計測してもよい。
【００６４】
なお、駆動部１３０は、被検体１００と受信部１２０との相対的な位置を変更できれば、受信部１２０を固定し、被検体１００を移動させてもよい。被検体１００を移動させる場合は、被検体１００を保持する保持部を動かすことで被検体１００を移動させる構成などが考えられる。また、被検体１００と受信部１２０の両方を移動させてもよい。
【００６５】
駆動部１３０は、相対位置を連続的に移動させてもよいし、ステップアンドリピートによって移動させてもよい。駆動部１３０は、プログラムされた軌跡で移動させる電動ステージであってもよいし、手動ステージであってもよい。すなわち、光音響装置は、駆動部１３０を有さずに、ユーザーがプローブ１８０を把持して操作するハンドヘルドタイプであってもよい。
【００６６】
また、本実施形態では、駆動部１３０は光照射部１１０と受信部１２０を同時に駆動して走査を行っているが、光照射部１１０だけを駆動したり、受信部１２０だけを駆動したりしてもよい。
【００６７】
（信号収集部１４０）
信号収集部１４０は、トランスデューサ１２１から出力されたアナログ信号である電気信号を増幅するアンプと、アンプから出力されたアナログ信号をデジタル信号に変換するＡ／Ｄ変換器とを含む。信号収集部１４０は、ＦＰＧＡ（Ｆｉｅｌｄ  Ｐｒｏｇｒａｍｍａｂｌｅ  Ｇａｔｅ  Ａｒｒａｙ）チップなどで構成されてもよい。信号収集部１４０から出力されるデジタル信号は、コンピュータ１５０内の記憶部１５２に記憶される。信号収集部１４０は、Ｄａｔａ  Ａｃｑｕｉｓｉｔｉｏｎ  Ｓｙｓｔｅｍ（ＤＡＳ）とも呼ばれる。本明細書において電気信号は、アナログ信号もデジタル信号も含む概念である。なお、フォトダイオードなどの光検出センサが、光照射部１１０から光射出を検出し、信号収集部１４０がこの検出結果をトリガーに同期して上記処理を開始してもよい。また、信号収集部１４０は、フリーズボタンなどを用いてなされる指示をトリガーに同期して、当該処理を開始してもよい。
【００６８】
（コンピュータ１５０）
表示制御装置としてのコンピュータ１５０は、演算部１５１、記憶部１５２、制御部１５３を含む。各構成の機能については処理フローの説明の際に説明する。
【００６９】
演算部１５１としての演算機能を担うユニットは、ＣＰＵやＧＰＵ（Ｇｒａｐｈｉｃｓ  Ｐｒｏｃｅｓｓｉｎｇ  Ｕｎｉｔ）等のプロセッサ、ＦＰＧＡ（Ｆｉｅｌｄ  Ｐｒｏｇｒａｍｍａｂｌｅ  Ｇａｔｅ  Ａｒｒａｙ）チップ等の演算回路で構成されることができる。これらのユニットは、単一のプロセッサや演算回路から構成されるだけでなく、複数のプロセッサや演算回路から構成されていてもよい。演算部１５１は、入力部１７０から、被検体音速や保持部の構成などの各種パラメータを受けて、受信信号を処理してもよい。
【００７０】
記憶部１５２は、ＲＯＭ（Ｒｅａｄ  ｏｎｌｙ  ｍｅｍｏｒｙ）、磁気ディスクやフラッシュメモリなどの非一時記憶媒体で構成することができる。また、記憶部１５２は、ＲＡＭ（Ｒａｎｄｏｍ  Ａｃｃｅｓｓ  Ｍｅｍｏｒｙ）などの揮発性の媒体であってもよい。なお、プログラムが格納される記憶媒体は、非一時記憶媒体である。なお、記憶部１５２は、１つの記憶媒体から構成されるだけでなく、複数の記憶媒体から構成されていてもよい。
【００７１】
記憶部１５２は、後述する方法で演算部１５１により生成される光音響画像を示す画像データを保存することができる。
【００７２】
制御部１５３は、ＣＰＵなどの演算素子で構成される。制御部１５３は、光音響装置の各構成の動作を制御する。制御部１５３は、入力部１７０からの測定開始などの各種操作による指示信号を受けて、光音響装置の各構成を制御してもよい。また、制御部１５３は、記憶部１５２に格納されたプログラムコードを読み出し、光音響装置の各構成の作動を制御する。例えば、制御部１５３が制御線を介して、光源１１１の発光タイミングを制御してもよい。また、光学系１１２がシャッターを含む場合、制御部１５３が制御線を介して、シャッターの開閉を制御してもよい。
【００７３】
コンピュータ１５０は専用に設計されたワークステーションであってもよい。また、コンピュータ１５０の各構成は異なるハードウェアによって構成されてもよい。また、コンピュータ１５０の少なくとも一部の構成は単一のハードウェアで構成されてもよい。
【００７４】
図７は、本実施形態に係るコンピュータ１５０の具体的な構成例を示す。本実施形態に係るコンピュータ１５０は、ＣＰＵ１５４、ＧＰＵ１５５、ＲＡＭ１５６、ＲＯＭ１５７、外部記憶装置１５８から構成される。また、コンピュータ１５０には、表示部１６０としての液晶ディスプレイ１６１、入力部１７０としてのマウス１７１、キーボード１７２が接続されている。
【００７５】
また、コンピュータ１５０および複数のトランスデューサ１２１は、共通の筺体に収められた構成で提供されてもよい。ただし、筺体に収められたコンピュータで一部の信号処理を行い、残りの信号処理を筺体の外部に設けられたコンピュータで行ってもよい。この場合、筺体の内部および外部に設けられたコンピュータを総称して、本実施形態に係るコンピュータとすることができる。すなわち、コンピュータを構成するハードウェアが一つの筺体に収められていなくてもよい。
【００７６】
（表示部１６０）
表示部１６０は、液晶ディスプレイや有機ＥＬ（Ｅｌｅｃｔｒｏ  Ｌｕｍｉｎｅｓｃｅｎｃｅ）ＦＥＤ、メガネ型ディスプレイ、ヘッドマウントディスプレイなどのディスプレイである。コンピュータ１５０により得られたボリュームデータに基づいた画像や特定位置の数値等を表示する装置である。表示部１６０は、ボリュームデータに基づいた画像や装置を操作するためのＧＵＩを表示してもよい。なお、被検体情報の表示にあたっては、表示部１６０またはコンピュータ１５０において画像処理（輝度値の調整等）を行った上で表示することもできる。表示部１６０は、光音響装置とは別に提供されていてもよい。コンピュータ１５０は、光音響画像データを有線または無線で表示部１６０へ送信することができる。
【００７７】
（入力部１７０）
入力部１７０としては、ユーザーが操作可能な、マウスやキーボードなどで構成される操作コンソールを採用することができる。また、表示部１６０をタッチパネルで構成し、表示部１６０を入力部１７０として利用してもよい。
【００７８】
入力部１７０は、観察したい位置や深さの情報などを入力できるように構成されていてもよい。入力方法としては、数値を入力してもよいし、スライダーバーを操作することにより入力ができてもよい。また、入力された情報に応じて表示部１６０に表示される画像が更新されていってもよい。これにより、ユーザーは自身の操作によって決定されたパラメータにより生成された画像を確認しながら、適切なパラメータに設定できる。
【００７９】
また、ユーザーが光音響装置の遠隔に設けられた入力部１７０を操作し、入力部１７０を用いて入力された情報を、ネットワークを介して光音響装置に送信してもよい。
【００８０】
なお、光音響装置の各構成はそれぞれ別の装置として構成されてもよいし、一体となった１つの装置として構成されてもよい。また、光音響装置の少なくとも一部の構成が一体となった１つの装置として構成されてもよい。
【００８１】
また、光音響装置の各構成間で送受信される情報は、有線または無線でやりとりがなされる。
【００８２】
（被検体１００）
被検体１００は光音響装置を構成するものではないが、以下に説明する。本実施形態に係る光音響装置は、人や動物の悪性腫瘍や血管疾患などの診断や化学治療の経過観察などを目的として使用できる。よって、被検体１００としては、生体、具体的には人体や動物の乳房や各臓器、血管網、頭部、頸部、腹部、手指および足指を含む四肢などの診断の対象部位が想定される。例えば、人体が測定対象であれば、オキシヘモグロビンあるいはデオキシヘモグロビンやそれらを含む多く含む血管や腫瘍の近傍に形成される新生血管などを光吸収体の対象としてもよい。また、頸動脈壁のプラークなどを光吸収体の対象としてもよい。また、皮膚等に含まれるメラニン、コラーゲン、脂質などを光吸収体の対象としてもよい。また、メチレンブルー（ＭＢ）、インドシニアングリーン（ＩＣＧ）などの色素、金微粒子、またはそれらを集積あるいは化学的に修飾した外部から導入した物質を光吸収体としてもよい。また、生体を模したファントムを被検体１００としてもよい。
【００８３】
本明細書においては、上述した画像化の対象とする光吸収体のことを、ターゲットと呼ぶ。また、画像化の対象としない、すなわち観察の対象としない光吸収体についてはターゲットではない。例えば、乳房を被検体とし、血管をターゲットの光吸収体とする場合、乳房を構成する脂肪や乳腺などの組織はターゲットではないと考えることができる。なお、血管をターゲットとする場合、血管での光吸収に適した波長の光が採用されることが考えられる。
【００８４】
次に、本実施形態に係る情報処理を含む画像表示方法を、図８を参照して説明する。なお、各工程は、コンピュータ１５０が光音響装置の構成の動作を制御することにより実行される。
【００８５】
（Ｓ１００：制御パラメータを設定する工程）
ユーザーが、被検体情報の取得のために必要な光照射部１１０の照射条件（繰り返し周波数や波長など）やプローブ１８０の位置などの制御パラメータを、入力部１７０を用いて指定する。コンピュータ１５０は、ユーザーの指示に基づいて決定された制御パラメータを設定する。
【００８６】
（Ｓ２００：プローブを指定位置に移動させる工程）
制御部１５３が、ステップＳ１００で指定された制御パラメータに基づいて、駆動部１３０にプローブ１８０を指定の位置へ移動させる。ステップＳ１００において複数位置での撮像が指定された場合には、駆動部１３０は、まずプローブ１８０を最初の指定位置へ移動させる。なお、駆動部１３０は、測定の開始指示がなされたときに、あらかじめプログラムされた位置にプローブ１８０を移動させてもよい。なお、ハンドヘルド型の場合、ユーザーがプローブ１８０を把持して所望の位置まで移動させてもよい。
【００８７】
（Ｓ３００：光を照射する工程）
光照射部１１０は、Ｓ１００で指定された制御パラメータに基づいて、被検体１００に光を照射する。
【００８８】
光源１１１から発生した光は、光学系１１２を介してパルス光として被検体１００に照射される。そして、被検体１００内部でパルス光が吸収され、光音響効果により光音響波が生じる。光照射部１１０はパルス光の伝送と併せて信号収集部１４０へ同期信号を送信する。
【００８９】
（Ｓ４００：光音響波を受信する工程）
信号収集部１４０は、光照射部１１０から送信された同期信号を受信すると、信号収集の動作を開始する。すなわち、信号収集部１４０は、受信部１２０から出力された、音響波に由来するアナログ電気信号を、増幅・ＡＤ変換することにより、増幅されたデジタル電気信号を生成し、コンピュータ１５０へ出力する。コンピュータ１５０は、信号収集部１４０から送信された信号を記憶部１５２に保存する。ステップＳ１００で複数の走査位置での撮像を指定した場合には、指定した走査位置において、Ｓ２００−Ｓ４００のステップを繰り返し実行し、パルス光の照射と音響波に由来するデジタル信号の生成を繰り返す。なお、コンピュータ１５０は、発光をトリガーとして、発光時の受信部１２０の位置情報を駆動部１３０の位置センサからの出力に基づいて取得し、記憶してもよい。
【００９０】
（Ｓ５００：光音響画像データを生成する工程）
画像データ生成手段としてのコンピュータ１５０の演算部１５１は、記憶部１５２に記憶された信号データに基づいて、光音響画像データを生成し、記憶部１５２に保存する。
【００９１】
信号データを空間分布としてのボリュームデータに変換する再構成アルゴリズムとしては、タイムドメインでの逆投影法やフーリエドメインでの逆投影法などの解析的な再構成法やモデルベース法（繰り返し演算法）を採用することができる。例えば、タイムドメインでの逆投影法として、Ｕｎｉｖｅｒｓａｌ  ｂａｃｋ−ｐｒｏｊｅｃｔｉｏｎ（ＵＢＰ）、Ｆｉｌｔｅｒｅｄ  ｂａｃｋ−ｐｒｏｊｅｃｔｉｏｎ（ＦＢＰ）、または整相加算（Ｄｅｌａｙ−ａｎｄ−Ｓｕｍ）などが挙げられる。
【００９２】
また、演算部１５１は、被検体１００に照射された光の被検体１００の内部での光フルエンス分布を計算し、初期音圧分布を光フルエンス分布で除算することにより、吸収係数分布情報を取得してもよい。この場合、吸収係数分布情報を光音響画像データとして取得してもよい。コンピュータ１５０は、光を吸収、散乱する媒質における光エネルギーの挙動を表す輸送方程式や拡散方程式を数値的に解く方法により、被検体１００の内部における光フルエンスの空間分布を算出することができる。数値的に解く方法としては、有限要素法、差分法、モンテカルロ法等を採用することができる。例えば、コンピュータ１５０は、式（１）に示す光拡散方程式を解くことにより、被検体１００の内部における光フルエンスの空間分布を算出してもよい。
【００９３】
【数１】
2019017552.tif 000003
【００９４】
ここで、Ｄは拡散係数、μａは吸収係数、Ｓは照射光の入射強度、φは到達する光フルエンス、ｒは位置、ｔは時間を示す。
【００９５】
また、複数の波長の光を用いて、Ｓ３００、Ｓ４００の工程を実行し、演算部１５１は、複数の波長の光のそれぞれに対応する吸収係数分布情報を取得してもよい。そして、演算部１５１は、複数の波長の光のそれぞれに対応する吸収係数分布情報に基づいて、分光情報として被検体１００を構成する物質の濃度の空間分布情報を、光音響画像データとして取得してもよい。すなわち、演算部１５１は、複数の波長の光に対応する信号データを用いて、分光情報を取得してもよい。
【００９６】
（Ｓ６００：光音響画像データに基づいた画像を生成・表示する工程）
表示制御手段としてのコンピュータ１５０は、Ｓ５００で得られた光音響画像データに基づいて画像を生成し、表示部１６０に表示させる。画像データの画像値は、そのまま表示画像の輝度値としてもよい。また、画像データの画像値に所定の処理を加えて、表示画像の輝度を決定してもよい。例えば、画像値が正値の場合は画像値を輝度に割り当て、画像値が負値の場合は輝度を０とする表示画像を生成してもよい。
【００９７】
次に、本実施形態に係る特徴的な画像生成方法を、図９に示す画像生成方法のフローチャートを用いて説明する。なお、図９に示すフローチャートにおける画像データの生成方法や画像データに基づいた画像の表示方法については、Ｓ５００またはＳ６００で行う方法を適用してもよい。
【００９８】
（Ｓ９１０：受信信号に対して時間微分信号及び反転処理を行う工程）
信号処理手段としてのコンピュータ１５０は、記憶部１５２に記憶された受信信号に対して、時間微分処理及び信号レベルの正負を反転させる反転処理を含む信号処理を行う。これらの信号処理が行われた受信信号を投影信号とも呼ぶ。本工程では、記憶部１５２に記憶された各受信信号に対して、これらの信号処理を実行する。その結果、複数回の光照射及び複数のトランスデューサ１２１のそれぞれに対応する投影信号が生成される。
【００９９】
例えば、コンピュータ１５０は、式（２）に示すように、受信信号ｐ（ｒ，ｔ）に対して時間微分処理及び反転処理（時間微分信号にマイナスを付与）を行い、投影信号ｂ（ｒ，ｔ）を生成し、投影信号ｂ（ｒ，ｔ）を記憶部１５２に記憶する。
【０１００】
【数２】
2019017552.tif 000004
【０１０１】
ここで、ｒは受信位置、ｔは光照射からの経過時間、ｐ（ｒ，ｔ）は受信位置ｒで経過時間ｔに受信された音響波の音圧を示す受信信号、ｂ（ｒ，ｔ）は投影信号である。なお、時間微分処理及び反転処理に加えてその他の信号処理を行ってもよい。例えば、その他の信号処理は、周波数フィルタリング（ローパス、ハイパス、バンドパス等）、デコンボリューション、包絡線検波、ウェーブレットフィルタリングの少なくとも一つである。
【０１０２】
なお、本工程で反転処理については実行しなくてもよい。この場合でも、本実施形態の効果は損なわれない。
【０１０３】
（Ｓ９２０：複数の画像データを生成する工程）
画像データ生成手段としてのコンピュータ１５０は、Ｓ９１０で生成された複数回の光照射及び複数のトランスデューサ１２１のそれぞれに対応する受信信号（投影信号）に基づいて、複数の光音響画像データを生成する。複数の光音響画像データを生成できる限り、光照射毎に光音響画像データを生成してもよいし、複数回の光照射に由来する投影信号から１つの光音響画像データを生成してもよい。
【０１０４】
例えば、コンピュータ１５０は、式（３）に示すように、投影信号ｂ（ｒｉ，ｔ）に基づいて、光照射毎の初期音圧ｐ０の空間分布を示す画像データを生成する。その結果、複数回の光照射のそれぞれに対応する画像データが生成され、複数の画像データを取得することができる。
【０１０５】
【数３】
2019017552.tif 000005
【０１０６】
ここで、ｒ０は再構成する位置（再構成位置、注目位置とも呼ぶ）を示す位置ベクトル、ｐ０（ｒ０）は再構成する位置での初期音圧、ｃは伝搬経路の音速を示す。また、ΔΩｉは再構成する位置からｉ番目のトランスデューサ１２１を見込む立体角、Ｎは再構成に用いるトランスデューサ１２１の個数を示す。式（３）は、投影信号に立体角の加重をかけて整相加算すること（逆投影）を示している。
【０１０７】
なお、本実施形態では、前述したように解析的な再構成法やモデルベース再構成法などの再構成により、画像データを生成することができる。
【０１０８】
（Ｓ９３０：複数の画像データに基づいてターゲットが存在するか否かの判定を行う工程）
特徴情報取得手段としてのコンピュータ１５０は、まずＳ９２０で取得された複数の画像データの画像値の変動特性の解析を行う。コンピュータ１５０は、この解析結果を、複数の画像データの値のデータ群（画像値群）の特徴を表す特徴情報として取得する。
【０１０９】
続いて、判定情報取得手段としてのコンピュータ１５０は、ある位置における画像値群の特徴を表す特徴情報に基づいて、ある位置にターゲットが存在するか否かを判定し、判定結果を表す判定情報を取得する。すなわち、判定情報は、ある位置にターゲットが存在する可能性を表す情報である。
【０１１０】
ある位置における画像値群の特徴情報は、ある位置における画像値群の中央値、平均値、標準偏差値、分散値、エントロピー、及びネゲントロピーの少なくとも一つを含む統計値であってもよい。
【０１１１】
すなわち、本実施形態においては、実像とアーティファクトを区別する際に、ある位置における画像値群の分布が正規分布を取るか否か、という特徴（非ガウス性）に着目しているともいえる。非ガウス性とは、あるデータ群の分布が、正規分布（ガウス分布）から乖離していることを示す用語である。確率論によれば、中心極限定理にしたがって、様々な独立な確率変数を足して得られる分布は、正規分布（ガウス分布）に近づくとの説明がなされる。これを例えば光音響波の受信信号に重畳するノイズについてあてはめてみる。光音響波の受信信号に重畳するノイズには、例えば熱ノイズ、電源のスイッチングノイズ、電磁波ノイズなどのノイズが加算されている。これは言い換えると、光音響波の受信信号に重畳するノイズは、熱ノイズという確率変数、電源のスイッチングノイズという確率変数、電磁波ノイズという確率変数など、複数の独立した確率変数の和で表される、と表現できる。例えば、信号収集部１４０は、受信部１２０から出力されたアナログ信号を１００［ＭＨｚ］でデジタル信号に変換、つまりサンプリングする。このとき、１００［ＭＨｚ］でサンプリングされた１サンプルの受信信号に存在するノイズ成分は、複数の確率変数が加算されたものである。ここで、さらに受信信号のサンプル数を増やして分布を調べると、サンプル数を増やせば増やすほど、その分布は正規分布に近づく。これが、光音響波の受信信号に重畳するノイズにおける中心極限定理の表れである。
【０１１２】
つぎに、中心極限定理の観点から、複数の光音響画像データの画像値のデータ群がとる分布について考察してみる。
【０１１３】
一般的に、撮像空間内に複雑な血管構造が密に分布する生体を、光音響装置の画像再構成アルゴリズムを用いて画像化した場合、ターゲット（血管）の存在しない位置に対応するボクセルにおいても、複数のターゲット由来のアーティファクトが重畳している。加えて、光音響波の受信位置と当該ボクセルとの相対位置の変化にともない、それぞれの構造体に起因するアーティファクトの、当該ボクセルにおける強度、寄与度が変化する。言い換えると、ある１つの光音響画像データにおいて、ターゲットの存在しない位置に対応する画像値は、複数の構造体由来のアーティファクトという複数の確率変数の和で表されることになる。
【０１１４】
さらに、ターゲットの存在しない位置に対応する複数の光音響画像データの画像値群の分布を調べると、光音響画像データ数を増やしていけばいくほど、その分布は正規分布に近づく。これは、光音響画像データのアーティファクトにおける中心極限定理のあらわれと言える。この場合、ターゲットの存在しない位置に対応する画像値はランダムな挙動を取る、と表現することもできる。
【０１１５】
一方で、ターゲットの存在する位置に対応する画像値変動は、何らかの傾向を持った、ランダムではない挙動を取るため、画像値群の分布は、正規分布から乖離する傾向にある。この場合に、ターゲットの存在する位置の画像値群の分布は非ガウス性を持つ、と評価することができる。
【０１１６】
よって、本実施形態においては、ある位置における複数の光音響画像データの画像値群の特徴から、ある位置にターゲットが存在するか否かを判定することができる。すなわち、本実施形態においては、ある位置にターゲットが存在する可能性が高いか低いかを判定することができる。コンピュータ１５０は、ある位置における複数の光音響画像データの画像値群の分布が正規分布かどうか（ガウス性、ランダム性、非ガウス性）を判定することにより、実像とアーティファクトを判定することができる。
【０１１７】
正規分布を評価するための指標の例について述べる。例えば、正規分布を評価するための指標としては、エントロピーと呼ばれる指標を用いることができる。無秩序性を意味するエントロピーは、確率変数のランダム性が大きいほどその値が大きくなることが知られている。そして、ある確率変数が正規分布関数である場合にエントロピーが最大化すると言われている。そのため、本実施形態においては、実像とアーティファクトを区別することのできる特徴情報（統計値）として、エントロピー値を好適に採用することができる。例えば、エントロピーは下記の式（４）で表現される。Ｐｉは、画像値がｉとなる確率を示す。すなわち、Ｐｉは、画像値ｉとなる階級に存在する画像データ数を総画像データ数で除算した値となる。式（４）で表現されるエントロピーは、平均情報量とも呼ばれる指標である。
【０１１８】
【数４】
2019017552.tif 000006
【０１１９】
また、特徴情報は、画像値群のヒストグラムの形状の特徴を表す情報であってもよい。ヒストグラムの形状の特徴を表す情報は、ヒストグラムの尖度及び歪度の少なくとも一つを含む情報であってもよい。尖度は確率分布の非ガウス性の評価尺度として用いられる指標であり、本実施形態においてターゲットであるか否かの判定に有用である。例えば、コンピュータ１５０は、二次元または三次元の空間のある位置に対応する、複数の画像データのピクセルもしくはボクセルを特定する。そして、コンピュータ１５０は、当該ピクセルもしくはボクセルの画像値群をヒストグラム化することができる。この場合、ヒストグラム化の対象となるサンプルデータ数は複数の画像データの数と等しくなる。
【０１２０】
また、コンピュータ１５０は、特徴情報の示す値と閾値とを比較し、特徴情報の示す値が閾値よりも高いか低いかに応じてある位置にターゲットが存在するか否かを判定してもよい。
【０１２１】
典型的に、画像値群の中央値、平均値、標準偏差値、または分散値については、ある位置における値が高いほど、当該位置にターゲットが存在する可能性は高くなる傾向がある。エントロピーについては、ある位置における値が低いほど、当該位置にターゲットが存在する可能性は高くなる傾向がある。ヒストグラムの尖度については、ある位置における値が高いほど、当該位置にターゲットが存在する可能性は高くなる傾向がある。また、ヒストグラムの歪度については、ある位置における値の絶対値が高いほど、当該位置にターゲットが存在する可能性は高くなる傾向がある。
【０１２２】
例えば、コンピュータ１５０は、二次元または三次元の空間のある位置に対応する、複数の画像データのピクセルもしくはボクセルを特定する。そして、コンピュータ１５０は、当該ピクセルもしくはボクセルの画像値群をヒストグラム化する。この場合、ヒストグラム化の対象となるサンプルデータ数は複数の画像データの数と等しくなる。なお、ある位置は、ユーザーが入力部１７０を用いて指定した位置であってもよいし、予め設定された位置であってもよい。また、ある位置は、複数設定されてもよい。
【０１２３】
ここで、図４に示す被検体モデル１０００に対するシミュレーションにより複数の画像データを生成した場合を説明する。図１０は、シミュレーションにより得られたある位置における複数の画像データの画像値群のヒストグラムの例を示す。図１０（ａ）は、図４における血管１０１１の位置における複数の画像データの画像値群をヒストグラム化したものである。図１０（ｂ）は、血管１０１１から２．５ｍｍ離れた位置における複数の画像データの画像値群をヒストグラム化したものである。図１０（ａ）及び図１０（ｂ）より、ターゲットが存在する位置と、ターゲットが存在しない位置とで、画像値群のヒストグラムに違いがあることが理解される。
【０１２４】
例えば、図１０（ａ）に示すヒストグラムより、ターゲット領域に存在するボクセルに対応する尖度は１Ｅ−６５である。一方で、図１０（ｂ）に示すヒストグラムより、ターゲット領域以外の領域に存在するボクセルに対応する尖度は１Ｅ−７０である。このように、ターゲット領域における尖度の方が、ターゲット以外の領域における尖度よりも高いことが理解される。
【０１２５】
また、閾値を設定する場合に、一つの閾値を基準とするのではなく、ターゲット領域を判別するための閾値と、ターゲット領域以外の領域を判別するための閾値を設けるといった具合に、複数の閾値を設定するようにしてもよい。また、特徴情報の示す値が閾値を超える場合にターゲット領域であると判定するか、閾値以上である場合にターゲット領域であると判定するかについては、任意に設定することができる。
【０１２６】
図１１は、複数の位置のそれぞれに対応する特徴情報を画像化した特徴情報画像を示す。特徴情報画像は、複数の位置のそれぞれに対応する特徴情報の示す値を各対応位置にプロットした空間分布画像である。
【０１２７】
図１１（ａ）は、図４（ａ）に示した被検体モデルのうち、表面から２０［ｍｍ］の深さの箇所にＹ軸方向に走行する０．２［ｍｍ］の血管１０１１のＸＹ平面断面である。
【０１２８】
図１１（ｂ）は、非特許文献１に記載のＵＢＰで再構成して得られた複数回の光照射に対応する画像データをボクセルごとに尖度を計算しプロットした尖度画像である。図１１（ｂ）に示す尖度画像では、血管１０１１の領域については、高い尖度を示す画像が離散的に存在していることが理解される。血管１０１１以外の領域に尖度の高い画像は含まれていない。そして、血管１０１１以外の領域については、尖度がほぼ０（黒色）となっていることが理解される。すなわち、尖度がある閾値よりも高い領域についてはターゲットが存在する可能性が極めて高いことが理解される。
【０１２９】
図１１（ｃ）は、非特許文献１に記載のＵＢＰで再構成して得られた複数回の光照射に対応する画像データをボクセルごとにエントロピーを計算しプロットしたエントロピー画像である。図１１（ｃ）に示すエントロピー画像では、血管１０１１をほぼ０（黒色）に数値化する。その一方で、血管１０１１以外の領域については、０よりも優位に大きな数値（灰色）をとる。ただし、エントロピー画像における血管１０１１以外の領域については、尖度画像と比べて値のばらつきが大きいことが理解される。
【０１３０】
このように特徴情報の種類によって、ターゲット領域及びそれ以外の領域の判定精度に違いがあることが理解される。そこで、コンピュータ１５０は、互いに種類の異なる複数の特徴情報に基づいて、ある位置にターゲットが存在するか否かを判定し、判定情報を取得してもよい。
【０１３１】
例えば、コンピュータ１５０は、尖度が第１の閾値よりも高い領域については、エントロピーの値にかかわらずターゲットが存在する領域であると判定してもよい。また、コンピュータ１５０は、尖度が第１の閾値よりも低く、エントロピーが第２の閾値よりも低い領域については、ターゲットが存在する領域であると判定してもよい。また、コンピュータ１５０は、尖度が第１の閾値よりも低く、エントロピーが第２の閾値よりも高い領域については、ターゲットが存在しない領域であると判定してもよい。
【０１３２】
また、コンピュータ１５０は、エントロピーが第２の閾値よりも低い連続した領域に、尖度が第１の閾値よりも高い領域が含まれている場合、当該連続した領域をターゲットが存在する領域であると判定してもよい。
【０１３３】
このように互いに異なる種類の特徴情報を組み合わせてターゲットが存在するか否かを判定することにより、判定精度を向上させることができる。
【０１３４】
コンピュータ１５０は、特徴情報を取得するときに、全ての画像データを用いてもよいし、選択的に抽出した複数の画像データを用いてもよい。
【０１３５】
ターゲットであるか否かの判別アルゴリズムは、複数の画像データから、着目したピクセルもしくはボクセルがターゲット領域に位置するものか、もしくはターゲット領域以外に位置するものかを判定できる限り、特定のものに限定されない。コンピュータ１５０は、人工知能アルゴリズムを適用してターゲットであるか否かの判定を行ってもよい。
【０１３６】
特徴情報のうち、ターゲット領域とターゲット領域以外の領域の判定に用いる情報を、ユーザーが指定してもよいし、コンピュータ１５０が所定の情報に設定してもよい。
【０１３７】
（Ｓ９４０：判定情報を用いた画像を生成する工程）
コンピュータ１５０は、Ｓ４００で取得された信号データに基づいた画像データを取得する。例えば、コンピュータ１５０は、Ｓ９２０で取得された複数の画像データを合成することにより、新たな画像データ（合成画像データ）を生成してもよい。合成処理の例としては、加算処理、加算平均処理、重み付け加算処理、または重み付け加算平均処理が挙げられる。
【０１３８】
また、コンピュータ１５０は、Ｓ４００で得られた複数回の光照射に対応する複数の信号データを用いて再構成することにより、新たな画像データを生成してもよい。
【０１３９】
続いて、コンピュータ１５０は、Ｓ９３０で取得された判定情報を用いて、ターゲットが存在する位置であるか否かを識別することのできる画像を生成し、表示部１６０に表示させてもよい。
【０１４０】
コンピュータ１５０は、画像データに対して判定情報に基づいた画像処理を行うことにより、ターゲットが存在する位置であるか否かを識別することのできる画像を生成し、表示部１６０に表示させてもよい。
【０１４１】
例えば、コンピュータ１５０は、判定情報に基づいて、ターゲットが存在する位置に対応するピクセルもしくはボクセルの画像値に対応する輝度値に１以上の係数を乗じて増幅処理してもよい。また、コンピュータ１５０は、判定情報に基づいて、ターゲットが存在しない位置に対応するピクセルもしくはボクセルの画像値に対応する輝度値に１未満の係数を乗じて減衰処理してもよい。減衰処理としては、該当するピクセルもしくはボクセルの画像値に対応する輝度値に０を乗じて、実質的にターゲット領域以外の部分を非表示としてもよい。
【０１４２】
また、コンピュータ１５０は、ターゲットが存在する位置とターゲットが存在しない位置とを、互いに異なる色で色分けして表示してもよい。この際に、ターゲットが存在する位置の画像を視認性が比較的高い色で表示させ、ターゲットが存在しない位置の画像を視認性が比較的低い色で表示させてもよい。
【０１４３】
また、コンピュータ１５０は、輝度値の増幅・減衰処理と、色分けの処理とを組み合わせてもよい。
【０１４４】
なお、コンピュータ１５０は、ターゲット領域、ターゲット領域以外の部分、及びターゲット領域とターゲット領域以外の部分との境界付近の領域の３つの領域に区分し、それぞれの領域を識別できるように画像を表示させてもよい。ここで、境界付近の領域は、ターゲット領域またはターゲット領域以外の部分の一部である。
【０１４５】
例えば、コンピュータ１５０は、ターゲット領域及びターゲット以外の領域のうち、境界付近の領域の画像値に対応する輝度値に１未満の係数を乗じるような減衰処理を行ってもよい。そして、コンピュータ１５０は、ターゲット領域（境界付近の領域を除く）の画像値に対応する輝度値に１以上の係数を乗じるような増幅処理を行い、ターゲット領域以外の部分（境界付近の領域を除く）の画像値に対応する輝度値に０を乗じて非表示としてもよい。このような処理を行うことにより、ターゲット領域とそれ以外の領域との画像をなめらかにつなぐことができる。また、３つの領域を互いに異なる色で色分けして表示させてもよい。
【０１４６】
また、上記例では、１つの画像データに基づいた画像表示について説明したが、複数の画像データに対して上記画像処理を行ってもよい。例えば、複数の画像データを、１つ以上の画像データを含むいくつかのグループに分類し、それぞれのグループに対して個別に合成処理を行った結果生成される部分合成画像データに対して画像処理を行ってもよい。
【０１４７】
さらには、コンピュータ１５０が、上記画像処理を適用した画像と、上記画像処理を適用していない画像とを並列表示、重畳表示、または交互表示させてもよい。例えば、コンピュータ１５０が、Ｓ６００で上記画像処理を適用していない画像を表示部１６０に表示させているときに、ユーザーによる表示切替を表す指示を受け付けることにより、並列表示や重畳表示に切り替えてもよい。また、コンピュータ１５０が、Ｓ６００で上記画像処理を適用していない画像を表示部１６０に表示させているときに、入力部１７０を用いたユーザーによる表示切替を表す指示を受け付けることにより、上記画像処理が適用された画像に切り替えてもよい。
【０１４８】
また、コンピュータ１５０は、画像データに基づいた画像と併せて、ユーザーが入力部１７０を用いて指定した位置に対応する特徴情報を示す画像を表示部１６０に表示させてもよい。このとき、表示部１６０に表示された画像データに基づいた画像に対する指示に基づいて、特徴情報を示す画像が表示される位置が指定されてもよい。
【０１４９】
また、コンピュータ１５０は、図１１（ｂ）または（ｃ）に示すような、複数の位置のそれぞれに対応する特徴情報を画像化した特徴情報画像を表示させてもよい。なお、コンピュータ１５０は、互いに異なる複数種類の特徴情報画像を合成した画像を表示させることや、複数種類の特徴情報画像を並列、重畳、または交互に表示させてもよい。
【０１５０】
なお、コンピュータ１５０は、図３に示すような画像値の変動を表す情報（例えばグラフ）そのものを表示させてもよい。
【０１５１】
本実施形態によれば、ターゲット領域とターゲット領域以外の部分とを判別しやすい画像を提供することができる。ユーザーは、本実施形態のように表示された画像を確認することにより、画像中のある位置にターゲット（観察対象）が存在するか否かを容易に判別することができる。
【０１５２】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１５３】
１５０  コンピュータ
１６０  表示部
【図１】
2019017552.tif 000007
【図２】
2019017552.tif 000008
【図３】
2019017552.tif 000009
【図４】
2019017552.tif 000010
【図５】
2019017552.tif 000011
【図６】
2019017552.tif 000012
【図７】
2019017552.tif 000013
【図８】
2019017552.tif 000014
【図９】
2019017552.tif 000015
【図１０】
2019017552.tif 000016
【図１１】
2019017552.tif 000017